(57)【要約】【課題】靴底と足裏とを確実に接着することによって足と靴との一体感を高め、足の運動力を靴を介して地面に確実に伝えることができる靴の中敷きを提供する。【解決手段】紙や不織布等の吸水性を有する柔軟性シートによって足裏形状をした中敷き本体２を形成し、該中敷き本体２の足裏に接する第１面２ａと靴底に接する第２面２ｂとの全面に膠３を塗布し、使用時に該膠３に水分を供給することによって該膠３に潤滑作用と接着作用とを発現させるようにする。【選択図】図４
2011024881.tif 000002
【特許請求の範囲】
【請求項１】
吸水性を有する柔軟性シートからなる中敷き本体を有し、該中敷き本体の足裏に接する第１面と靴底に接する第２面との全面に膠が塗布されていて、水分の供給により上記膠が潤滑作用と接着作用とを発現するように構成されていることを特徴とする靴の中敷き。
【請求項２】
上記膠にメンソール及びカプサイシンが配合されていることを特徴とする請求項１に記載の靴の中敷き。
【請求項３】
吸水性を有する柔軟性シートに水を飽和状態まで含浸させると共に、含水状態のシートの両面に膠の溶液を塗布し、乾燥させたあと、上記シートを足裏形状に打ち抜くことを特徴とする靴の中敷きの製造方法。
【請求項４】
吸水性を有する柔軟性シートを足裏形状に打ち抜くことにより中敷き本体を形成し、この中敷き本体に水を飽和状態まで含浸させると共に、含水状態の該中敷き本体の両面に膠の溶液を塗布し、乾燥させることを特徴とする靴の中敷きの製造方法。
【発明の詳細な説明】
【技術分野】
【０００１】
本発明は、靴の中敷きに関するものであり、なかでも特に運動用靴に用いるのに適した中敷きに関するものである。
【背景技術】
【０００２】
靴の中敷きは、通常、靴と足とのフィット感を高めたり、靴底と足裏との間に空隙を形成して足の蒸れを軽減するなど、主として履き心地を改善する目的で使用され、靴の内部に挿入して靴底上に重ねた状態にして使用される。
【０００３】
一方、運動靴用の中敷きとして、該中敷きと靴底あるいは足裏との間の滑りを防止する目的で、該中敷きを接着テープや面ファスナー等によって靴底や足裏に固定できるようにした固定式の中敷きも知られている。例えば特許文献１には、両面接着テープで靴底に接着するようにした中敷きが開示されている。また、特許文献２には、面ファスナーと両面接着テープとで足に固定できるようにした中敷きが開示されている。
このような固定式の中敷きを使用することにより、該中敷きと靴底あるいは足裏との間の滑りが防止されて足と靴との一体感が増すため、非固定式の中敷きを使用する場合よりは運動効率が向上する。
【０００４】
しかし、上記従来の固定式の中敷きは、両面接着テープや面ファスナー等で一部を靴底又は足裏の何れか一方に接着するものであるため、接着力が弱く、接着されていない部分で滑りが発生し易いのはもちろんのこと、接着されている部分でも位置ずれが生じ、足の運動力を該中敷き及び靴を介して地面に十分伝えることができなかった。特にランニングなどの激しい運動をする場合に滑りが発生するのを防止することはできなかった。
【先行技術文献】
【特許文献】
【０００５】
【特許文献１】特開平８−２９９０２２号公報
【特許文献２】特開平１０−４２９０８号公報
【発明の概要】
【発明が解決しようとする課題】
【０００６】
本発明の技術的課題は、靴底と足裏とを確実に接着することによって足と靴との一体感を高め、足の運動力を靴を介して地面に確実に伝えることができるようにした靴の中敷きを提供することにある。
【課題を解決するための手段】
【０００７】
上記課題を解決するため、本発明によれば、吸水性を有する柔軟性シートで形成された中敷き本体を有し、該中敷き本体の足裏に接する第１面と靴底に接する第２面との全面に膠が塗布されていて、水分の供給により上記膠が潤滑作用と接着作用とを発現するように構成されていることを特徴とする靴の中敷きが提供される。
上記膠にメンソール及びカプサイシンを配合することもできる。
【０００８】
また、上記中敷きを得るため、本発明によれば、吸水性を有する柔軟性シートに水を飽和状態まで含浸させると共に、含水状態のシートの両面に膠の溶液を塗布し、乾燥させたあと、上記シートを足裏形状に打ち抜くことを特徴とする靴の中敷きの製造方法が提供される。
あるいは、他の製造方法として、柔軟性シートを予め足裏形状に打ち抜いて中敷き本体としたあと、この中敷き本体に水を飽和状態まで含浸させると共に、含水状態の該中敷き本体の両面に膠の溶液を塗布し、乾燥させるようにしても良い。
【発明の効果】
【０００９】
本発明の靴の中敷きは、使用時に膠に水分を供給して該膠に潤滑機能と接着機能とを発現させ、その状態で該中敷きを靴内に挿入して足裏と靴底との間に位置決めした状態に介在させることにより、該足裏と靴底との相互に当接する面同士を上記膠で全面的に接着させる。これにより、足と靴との一体感を高めて足の運動力を該靴を介して地面に確実に伝えることが可能になる。
また、本発明の製造方法によれば、柔軟性シートに水を飽和状態に含浸させた状態で膠の溶液を塗布することにより、該シートの内部に体積分の膠を吸収させることなく、該シートの表面のみに少量の膠を薄く均一に塗布することができるため、中敷きを経済的に製造することができる。
【図面の簡単な説明】
【００１０】
【図１】本発明に係る中敷きの一実施形態を示す平面図である。
【図２】図１の中敷きの拡大断面図である。
【図３】本発明の中敷きの一つの製造方法を説明するための平面図である。
【図４】本発明の中敷きの使用方法を説明するための断面図である。
【発明を実施するための形態】
【００１１】
以下、本発明に係る靴の中敷きの実施形態を図面に基づいて詳細に説明する。図１には左足用及び右足用の一足分の中敷きが示されている。そして、右足用の中敷きに参照符号「１Ａ」が付され、左足用の中敷きに参照符号「１Ｂ」が付されているが、これらの中敷き１Ａ，１Ｂは、平面視形状が左右対象形であるという点で相違するだけで、それ以外の構成は実質的に互いに同じであるため、以下の説明において、右足用の中敷き１Ａと左足用の中敷き１Ｂとを区別する必要があるとき以外は、両者を単に「中敷き１」と表示するものとする。
【００１２】
図１及び図２から分かるように、上記中敷き１は、靴底と足裏との間に介在して該靴底と足裏とを接着するもので、和紙や不織布あるいは織布等の吸水性を有する柔軟性シートで足裏形状に形成された中敷き本体２を有し、該中敷き本体２の足裏に接する第１面２ａと靴底に接する第２面２ｂとの全面に膠３を塗布することにより形成され、使用時に水分を供給することで上記膠３に潤滑作用と接着作用とを発現させるものである。
【００１３】
図示した中敷き１は、足の指先から踵に至る足裏部分のうち土踏まずの部分は靴底に当接しないため、この土踏まずの部分を除いた足裏形状に形成されている。しかし、土踏まずの部分を含む足裏形状に形成しても良い。また、上記中敷き本体２の厚みと膠３の層の厚みは全体として一定であり、従って、中敷き１の厚さは全体として一定である。
上記膠３の中には、爽快感をもたらすほか沈痛、防臭作用等もあるメンソールや、血行促進作用のあるカプサイシン等を配合することもできる。
【００１４】
上記中敷き１は、次のようにして製造することができる。即ち、図３に示すように、吸水性を有する柔軟性シート４に水を飽和状態まで含浸させ、含水状態の該シート４の両面に膠３の溶液を塗布し、乾燥させたあと、上記シート４を左右の足裏形状に打ち抜くようにする。従って、上記柔軟性シート４は中敷き本体２を形成するものである。
【００１５】
あるいは、他の製造方法として、柔軟性シート４を予め足裏形状に打ち抜いて中敷き本体２としたあと、この中敷き本体２に水を飽和状態まで含浸させると共に、含水状態の該中敷き本体２の両面に膠３の溶液を塗布し、乾燥させるようにしても良い。
上記乾燥は、低温真空乾燥機等を用いて低温下で真空乾燥させることが望ましい。その理由は、常温乾燥や加熱乾燥等を行うと、シート４から水分が蒸発する際に沸騰し、均一に塗布した膠３の層を破壊するおそれがあるためである。
【００１６】
かくして得られた中敷き１において、膠３が乾燥した状態にあると該中敷き１の表面は硬くなり、そのままでは潤滑性も接着性を示さない。従って、該中敷き１の両面に剥離紙を貼るなどの粘着防止対策を施す必要がない。しかし、水分を供給することにより、上記膠３が軟化すると同時に、潤滑作用と接着作用とを発現する。
【００１７】
上記構成を有する中敷き１を使用するときは、図４に示すように、先ず、該中敷き１の第２面２ｂに霧吹きや塗布等の方法によって水分を供給し、膠３を湿潤させた状態で該中敷き１を靴５の中に挿入し、位置決めをする。このとき、湿潤した膠３は軟化して潤滑作用を発揮するため、靴底５ａに沿って滑らせることにより、靴５内での正しい位置に該中敷き１を簡単に移動させて正確に位置決めすることができる。
【００１８】
次に、足裏６ａを水で濡らし、その状態で足６を靴５内に挿入して足裏６ａを中敷き１上に載せると、第１面２ａの膠３が湿潤して軟化すると共に、潤滑作用を発揮するため、該中敷き１上で足裏６ａを滑らせながら足６と靴５とがぴったりと合う位置に簡単に位置決めをすることができ、足６と靴５とのずれがない状態で靴５を履くことができる。
膠３に供給する水分は、該膠３全体が軟化して足裏６ａ全体と靴底５ａ全体に密着すると共に、潤滑作用と接着作用とを発揮し得る程度で良く、それほど大量の水を供給する必要はない。
【００１９】
上記作業を右足用の中敷き１Ａと左足用の中敷き１Ｂとについて行ったあと、靴紐をしっかりと結んで靴５を履き終えると、上記膠３は強い接着性を発現し、両足の足裏６ａと靴底５ａとの相互に当接する面同士が上記中敷き１を介して全面的に接着されることになる。
【００２０】
このようにして足裏６ａと靴底５ａとを上記中敷き１を介して全面的に接着することにより、該足裏６ａと靴底５ａとの間の滑りがほぼ完全に防止されて足と靴とが一体化するため、足の運動力が靴を介して地面に確実にかつほぼ完全に伝わることになり、高い運動効率が得られる。
この結果、ランニング、跳躍、投擲などの陸上競技や、野球、サッカー、テニスなどの球技等において、上記中敷き１を使用することにより、走力や瞬発力等が格段に向上することになる。
【００２１】
運動が終わって靴５を脱ぐときは、紐を緩めて該靴５の中に水を入れることにより、膠３が吸水により膨潤して接着性が弱まるため、靴５を簡単に脱ぐことができると共に、中敷き１も靴底５ａから簡単に剥離させて外部に取り出すことができる。そのあと、靴５を水洗すれば、靴底５ａに膠３の残留物が付着したまま残留することがない。取り出した中敷き１は廃棄する。
【００２２】
上記実施形態では、中敷き１全体が一定の厚みに形成されているが、該中敷き１の踵に対応する部位の第２面２ｂ又は第１面２ａと第２面２ｂとに、クッション性のある衝撃吸収部を設けることもできる。
【符号の説明】
【００２３】
１，１Ａ，１Ｂ      中敷き
２      中敷き本体
２ａ      第１面
２ｂ      第２面
３      膠
４      シート
５      靴
５ａ      靴底
６      足
６ａ      足裏
【図１】
2011024881.tif 000003
【図２】
2011024881.tif 000004
【図３】
2011024881.tif 000005
【図４】
2011024881.tif 000006